(57)【要約】      （修正有）【課題】  病院の産婦人科の閉鎖が日本全国で多発していて、多くの妊婦が安心して出産できないという大問題が発生している。また、近年わが国は、少子高齢化で、出生率も最低である。これを一刻も早く改善すること。【解決手段】  助産師を全国的なフランチャイズシステムにより加盟店化し、総合的にサポートする事により、個人開業の助産師でも、総合的、全国的な出産サービスを妊婦に提供できるようにする。助産師を育成する学校も設置し助産院を増加させる一方、ベビーシッターとの業務提携や各種出産育児業者、病院の産婦人科とのタイアップにより、出産から育児のあらゆる業務を加盟店である助産院を通して会員である妊婦などに、総合的に提供する。【選択図】図１
2008033868.tif 000002
【特許請求の範囲】
【請求項１】
助産院を全国にフランチャイズチェーン展開し、その顧客情報や助産院情報をコンピューターなどを通じて共有し、病院の産婦人科やベビーシッター、育児出産関係の業者などと業務提携する事で、助産院を営む際の諸事の問題を低コストで且つ迅速に対応出来るようにするシステムである。
【発明の詳細な説明】
【背景技術】  近年、我が国は少子高齢化が急速に進み、世界中で出生率が最も低いという現実があり、国を維持する大問題として出産と育児がクローズアップされている。
一方、半世紀前までは、出産は助産師による自宅出産などが殆どであり、殆どの町や村には助産師が開業していたのである。
【発明が解決しようとする課題】
現在、市民病院などの総合病院では産婦人科を閉鎖する病院が多発しており、妊婦が出産する病院を探すのが困難な状態が発生している。産婦人科の減少問題は、「出産難民」と言われるほど深刻化しており、出産の予約も「くじ引き」等により決められ、妊婦が安心して出産できる環境ではないのである。
産婦人科を閉鎖する主な原因は、産婦人科医の絶対的な人数不足や、困難な出産における弊害が挙げられている。
産婦人科の減少問題は、わが国が抱えている少子高齢化の問題に拍車を掛けている大問題である。
【発明の効果】
本発明は、出産を産婦人科に依存する現代社会の現状から、従来からわが国に於いて行われていた助産院に再度着目する事により、出産の問題を解消する画期的な発明である。
従来日本では、助産師により助産院や自宅で出産するのが通常であった。出産自体は現在でも「病気」としては捉えられてはなく、人間の自然の営みとして把握されている。尤も、流産などの危険性がある妊娠等もあるので、一概には言えないが、通常分娩等の場合は、総合病院の産婦人科でなくても、従来からの助産師による出産でも充分に安全である。また、近年では家庭での出産も見直されてきているのである。しかし、助産院の絶対数は激減しており、また助産院の殆どは個人で開業していて、妊婦が適切な助産院を探すことが極めて困難である。
本発明は、出産をサポートする助産院を全国にフランチャイズ展開する事により、助産師と妊婦を全国的な組織で結びつけることが出来る利点がある。フランチャイズ本部は、助産師の育成から助産院開業、妊婦の紹介、各種サポートを含め、出産から育児に関係する業務の斡旋を行うことにより、各助産院が円滑に業務を行うことを可能ならしめるのである。
本発明により助産院を増加させる事はもとより、全国的な助産院組織をフランチャイズ展開により形成することにより、一個人の助産院では不可能であった様々な事をサポートし、妊婦にとっても助産師にとっても最良な環境を作り出すことが可能となる。
本発明により、出産する環境を最良にする事により、現在わが国が直面している少子高齢化問題や産婦人科減少問題を根本的に解消することに寄与できるのである。
【発明を実施する最良の形態】
本発明の助産院フランチャイズチェーン展開システムは、一店舗や少数の店舗では実現不可能であった、経費を掛けずに多種多様の出産や育児のサービスを妊婦等に提供する事が可能となる。
全国的に助産院（加盟店）［図１］の［符号］９を展開し、その情報をコンピュータ［図１］の［符号］１２で検索し共有出来るシステムで、各店舗の妊婦（会員）の情報［図１］の［符号］１０、病院の産婦人科［図１］の［符号］４、開業していない助産師［図１］の［符号］５やベビーシッター［図１］の［符号］６、他の助産師スクール［図１］の［符号］７、その他の出産育児関係業者［図１］の［符号］８、を助産師フランチャイズシステム本部［図１］の［符号］１１が全てコンピュータ［図１］の［符号］１２で管理し、業務提携（タイアップ）［図１］の１する。
助産院フランチャイズシステム本部［図１］の［符号］１１には、直属の助産師育成学校［図１］の［符号］３を設置しており、将来助産師になりたい助産師希望者［図１］の［符号］１９は、入学［図１］の［符号］２０、学習し、国家試験の合格後に卒業［図１］の［符号］２２する。その後、新規開業助産院［図１］の［符号］２１として開業する事になり、その後は加盟［図１］の［符号］１７し、加盟店として助産院の業務を行うこととなる。
妊婦［図１］の［符号］１０が、本システムを利用する場合、各助産院（加盟店）［図１］の［符号］９を経由して入会する他、助産院フランチャイズシステム本部［図１］の［符号］１１に直接入会［図１］の［符号］１５し、出産や育児の様々な情報などのサービス提供［図１］の［符号］１６を受ける。そして、出産は、助産院（加盟店）［図１］の［符号］９に通院［図１］の［符号］１３したり、派遣［図１］の［符号］１４されたりして、助産院（加盟店）［図１］の［符号］９で出産したり、自宅で出産するのである。
助産院（加盟店）［図１］の［符号］９で対応できない出産の場合は、業務提携（タイアップ）［図１］の［符号］１している病院の産婦人科［図１］の［符号］４を助産院フランチャイズシステム本部［図１］の［符号］１１が紹介、仲介する事により、出産をサポートする。
また、出産後もベビーシッター［図１］の［符号］６の派遣も助産婦フランチャイズシステム本部［図１］の［符号］１１が妊婦（会員）［図１］の［符号］１０に紹介する事により、適正なベビーシッターを迅速に派遣する事が可能となる。
【産業上の利用可能性】  本発明により、誰でもより安全で信頼できる助産院を利用できる様になり、病院の産婦人科だけに頼る出産を、地域に根ざした助産師による、きめ細やかな出産を可能ならしめる。また、全国フランチャイズチェーン展開する事で多種多様、様々なサービスを提供する事が可能となる。出産、育児に関連する業者と業務提携することで、出産育児産業の発展にも多大に貢献する一方、自宅出産が定着するようになると新たな商品の需要が生まれる。
本発明で、少子高齢化を解消する一端を担う事ができ、人口減少問題にも寄与できれば、消費拡大につながり産業上貢献できることは必至である。
【図面の簡単な説明】
【図１】「助産院フランチャイズチェーン展開システム図である。」
【符号の説明】
１  業務提携（タイアップ）
２  費用支給
３  助産師養成学校
４  病院の産婦人科
５  開業していない助産師
６  ベビーシッター
７  他の助産師スクール
８  その他の出産育児関係業者、
９  助産院（加盟店）
１０  妊婦（会員）
１１  助産院フランチャイズシステム本部
１２  コンピューター
１３  通院
１４  出張
１５  入会
１６  サービス提供
１７  加盟
１８  紹介
１９  助産師希望者
２０  入学
２１  新規開業助産院
２２  卒業
【図１】
2008033868.tif 000003